【手続補正書】
【提出日】平成29年6月5日(2017.6.5)
【手続補正１】
【補正対象書類名】明細書
【補正対象項目名】００６５
【補正方法】変更
【補正の内容】
【００６５】
本発明は、２０１３年６月１９日に提出された米国仮特許出願第６１／８３６，８４１号に基づく優先権を主張しており、その内容は参照によりここに取り込まれる。
（付記）
（付記１）
第１のリング半体部分、第２のリング半体部分およびラッチアセンブリを備えるロックリングであって、
前記第１のリング半体部分は、前記第１のリング半体部分の前方部上に存在するネスト開口を含み、
前記第１のリング部分の後方端部は、前記第２のリング半体部分の後方端部にヒンジ式で連結されており、
前記ラッチアセンブリは、前記第２のリング半体部分の前方部に連結されており、
前記ラッチアセンブリは、連結配置具とばね機構とを含み、
前記連結配置具は、前記ネスト開口に取り外し可能に配置することができるように設計されており、
前記連結配置具が前記ネスト開口に配置された時に、前記ばね機構により前記第１のリング半体部分の前方部および前記第２のリング半体部分の前方部が互いに向かって引き寄せられる、ロックリング。
（付記２）
前記ばね機構は気体ばねである、付記１に記載のロックリング。
（付記３）
前記第１のリング半体部分の前記後方端部および前記第２のリング半体部分の前記後方端部に連結されているヒンジばねを含み、
前記ヒンジばねは、前記第１のリング半体部分の前記前方端部および前記第２のリング半体部分の前記前方端部を共に付勢する、付記１または２に記載のロックリング。
（付記４）
前記第１のリング部分は、安全戻り止めを含み、
前記安全戻り止めは、ばね構成によって外側に向かって付勢される伸長部材を含み、
前記伸長部材は、前記ロックリングがロック位置にある時に、前記ネスト開口に前記ラッチアセンブリの一部分を保持することを容易にするように設計されている、付記１ないし３のいずれか１つに記載のロックリング。
（付記５）
前記ばね構成は、前記伸長部材を、少なくとも２ポンドの力によって外側に向かって付勢する、付記４に記載のロックリング。
（付記６）
前記ラッチアセンブリの前記連結配置具は、Ｔ−ハンドルを含み、
前記Ｔ−ハンドルは、前記ばね機構に連結されている縦方向の部材と、前記ネスト開口の中へ挿入されるように設計されている横方向の部材とを含む、付記１ないし５のいずれか１つに記載のロックリング。
（付記７）
前記縦方向の部材は、前記ネスト開口へのＴ−部材の連結または取り外しを容易にするために、工具を受け入れるように設計されている開口を含む、付記６に記載のロックリング。
（付記８）
前記横方向の部材は、前記ネスト開口へのＴ−部材の連結または取り外しを容易にするために、外側に湾曲した表面を含む、付記６または７に記載のロックリング。
（付記９）
前記ラッチアセンブリは、ヨークを含み、
前記連結配置具は、枢動可能に前記ヨークに連結されており、
前記ヨークは、前記第２のリング半体部分に連結されている、付記１ないし８のいずれか１つに記載のロックリング。
（付記１０）
前記第１のリング半体部分および前記第２のリング半体部分の少なくとも１つは、少なくとも１つのラジアルホールを含む、付記１ないし９のいずれか１つに記載のロックリング。
（付記１１）
前記ネスト開口は、垂直方向から約２０−７０°の導入角度を含む、付記１ないし１０のいずれか１つに記載のロックリング。
（付記１２）
前記ネスト開口は、水平方向から約２０−７０°の出口を含む、付記１ないし１１のいずれか１つに記載のロックリング。
（付記１３）
ａ．第１のリング半体部分、第２のリング半体部分およびラッチアセンブリを備えるロックリングを提供する工程であって、
前記第１のリング半体部分は、前記第１のリング半体部分の前方部上に存在するネスト開口を含み、
前記第１のリング部分の後方端部は、前記第２のリング半体部分の後方端部にヒンジ式で連結されており、
前記ラッチアセンブリは、前記第２のリング半体部分の前方部に連結されており、
前記ラッチアセンブリは、連結配置具とばね機構とを含み、
前記連結配置具は、前記ネスト開口に取り外し可能に配置することができるように設計されており、
前記連結配置具が前記ネスト開口に配置された時に、前記ばね機構により前記第１のリング半体部分の前方部および前記第２のリング半体部分の前方部が互いに向かって引き寄せられる、ロックリングを提供する工程と、
ｂ．部材について前記第１のリング部分および前記第２のリング部分を配置する工程と、
ｃ．閉鎖およびロック位置において前記ロックリングを固定するために、前記ネスト開口の中へ前記連結配置具を挿入する工程と、
を含む、ロックリングを使用するための方法。
（付記１４）
前記ばね機構は気体ばねである、付記１３に記載の方法。
（付記１５）
前記第１のリング半体部分の前記後方端部および前記第２のリング半体部分の前記後方端部に連結されているヒンジばねを含み、
前記ヒンジばねは、前記第１のリング半体部分の前記前方端部および前記第２のリング半体部分の前記前方端部を共に付勢する、付記１３または１４に記載の方法。
（付記１６）
前記第１のリング部分は、安全戻り止めを含み、
前記安全戻り止めは、ばね構成によって外側に向かって付勢される伸長部材を含み、
前記伸長部材は、前記ロックリングがロック位置にある時に、前記ネスト開口に前記ラッチアセンブリの一部分を保持することを容易にするように設計されている、付記１３ないし１５のいずれか１つに記載の方法。
（付記１７）
前記ラッチアセンブリの前記連結配置具は、Ｔ−ハンドルを含み、
前記Ｔ−ハンドルは、前記ばね機構に連結されている縦方向の部材と、前記ネスト開口の中へ挿入されるように設計されている横方向の部材とを含む、付記１３ないし１６のいずれか１つに記載の方法。
（付記１８）
前記ラッチアセンブリは、ヨークを含み、
前記連結配置具は、枢動可能に前記ヨークに連結されており、
前記ヨークは、前記第２のリング半体部分に連結されている、付記１３ないし１７のいずれか１つに記載の方法。
（付記１９）
前記ラッチアセンブリは、ヨークに対する前記連結配置具の縦方向の部材の動作を制限するために、制限構成を含む、付記１３ないし１８のいずれか１つに記載の方法。
【手続補正２】
【補正対象書類名】特許請求の範囲
【補正対象項目名】全文
【補正方法】変更
【補正の内容】
【特許請求の範囲】
【請求項１】
第１のリング、第２のリングおよびラッチアセンブリを備えるロックリングであって、
前記第１のリングは、前記第１のリングの前方部上に存在するネスト開口を有するネストを含み、
前記第１のリングの後方部は、前記第２のリングの後方端部にヒンジ式で連結されており、
前記ラッチアセンブリは、前記第２のリングの前方部に連結されており、
前記ラッチアセンブリは、連結配置具とばね機構とを含み、
前記連結配置具は、前記ロックリングが閉鎖およびロック位置にある時に、前記ネスト開口に取り外し可能に配置することができるように設計されており、
前記連結配置具が前記ネスト開口に配置された時に、前記ばね機構により前記第１のリングの前方部および前記第２のリングの前方部が互いに向かって引き寄せられる、
ロックリング。
【請求項２】
前記ばね機構は、縦軸を有する収容部と、前記収容部の前記縦軸に沿って移動できる縦方向の部材とを含み、
前記連結配置具は、前記収容部の縦軸に対して平行ではない平面内および前記収容部の縦軸に対して平行である平面内の両方で動作するように構成されており、
前記連結配置具は、ベース部とトップ部とを含み、
前記ベース部は、前記縦方向の部材に対して旋回可能に連結されており、
前記連結配置具の前記トップ部は、前記ネスト開口内に少なくとも部分的に配置することができるように、および前記第１のリングの前記ネストに取り外し可能に連結するように構成されている、
請求項１に記載のロックリング。
【請求項３】
前記ばね機構は気体ばねである、請求項１または２に記載のロックリング。
【請求項４】
前記第１のリングの前記後方部および前記第２のリングの後方部に連結されているヒンジばねを含み、
前記ヒンジばねは、前記第１のリングの前方端部および前記第２のリングの前方端部を共に付勢するように構成されている、
請求項１から３のいずれか１項に記載のロックリング。
【請求項５】
前記第１のリングは、安全戻り止めを含み、
前記安全戻り止めは、引っ込み位置と伸長位置との間を移動できる伸長部材を含み、
前記伸長部材は、戻り止めばね構成によって外側に向かって前記伸長位置へ付勢され、
前記伸長部材の少なくとも一部分は、前記伸長位置にある時に、前記第１のリング部分の外側の表面から外側に向かって伸長し、
前記伸長部材は、前記ロックリングがロック位置にある時に、前記ネスト開口に前記ラッチアセンブリの前記連結配置具のトップ部を保持することを容易にするように構成されている、
請求項１から４のいずれか１項に記載のロックリング。
【請求項６】
前記伸長部材の少なくとも一部分は、前記引っ込み位置にある時に、前記第１のリングの内部へ移動できる、請求項５に記載のロックリング。
【請求項７】
前記安全戻り止めの前記戻り止めばね構成は、前記伸長部材を、少なくとも１ポンドの力によって外側に向かって付勢する、請求項５または６に記載のロックリング。
【請求項８】
前記連結配置具のベース部およびトップ部は、Ｔ字型形状を形成しており、
前記トップ部は、前記トップ部が前記ネストに取り外し可能に連結される時に、前記ネスト内の対応する弧状表面に係合するように構成されている弧状の上表面を含む、
請求項１から７のいずれか１項に記載のロックリング。
【請求項９】
前記第１のリングおよび前記第２のリングの各々の前記前方部は、前方端部を有し、
前記第１のリングおよび前記第２のリングの各々は、外側上部表面、内側底部表面、および、前記外側上部表面と前記内側底部表面との間に位置する側方表面を有し、
前記第１のリング上の前記ネストは、前記第１のリングの前記外側上部表面上に少なくとも部分的に位置し、前記第１のリングの前記内側底部表面から間隔を空けており、
前記ネストの前記ネスト開口は、前記第１のリングの前記外側上部表面から下方に向かって傾斜しており、
前記ネストは、上部スロットおよび底部スロットを含み、
前記上部スロットは、前記ネスト開口の上方に少なくとも部分的に位置しており、
前記底部スロットは、前記ネスト開口の下方に少なくとも部分的に位置しており、
前記第２のリングの前記前方部は、ラッチ空洞を含み、
前記ラッチ空洞は、前記第２のリングの前記内側底部表面から間隔を空けており、
前記ラッチ空洞は、上部開口および底部開口を含み、
前記第２のリングの前記前方端部は、前記第１のリングおよび前記第２のリングがロック位置にある時に、前記第１のリングの前記前方端部に接触するように構成されており、
前記ばね機構の収容部は、前記ラッチ空洞内に少なくとも部分的に位置しており、
前記連結配置具の少なくとも一部分は、前記ラッチ空洞の前記上部開口から外側に向かって伸長している、
請求項１から８のいずれか１項に記載のロックリング。
【請求項１０】
前記ネスト開口は、垂直方向から約２０−７０°の導入角度を含む、請求項１から９のいずれか１項に記載のロックリング。
【請求項１１】
前記ネスト開口は、水平方向から約２０−７０°の出口角度を含む、請求項１から１０のいずれか１項に記載のロックリング。
【請求項１２】
金属の加工に使用されるチョックアセンブリを保持するのに使用するためのロックリングであって、
第１のリング、第２のリング、および、前記第１のリングと前記第２のリングとを取り外し可能に連結するように構成されたラッチアセンブリを備え、
前記第１のリングおよび前記第２のリングの各々は、前方端部を有する前方部、後方部、外側上部表面、内側底部表面、および、前記外側上部表面と前記内側底部表面との間に位置する側方表面を有し、
前記第１のリングの前記前方部は、ネストを含み、
前記ネストは、前記第１のリングの前記外側上部表面上に少なくとも部分的に位置し、前記第１のリングの前記内側底部表面から間隔を空けており、
前記ネストは、前記第１のリングの前記外側上部表面から下方に向かって傾斜しているネスト開口を含み、
前記ネストは、上部スロットおよび底部スロットを含み、
前記上部スロットは、前記ネスト開口の上方に少なくとも部分的に位置しており、
前記底部スロットは、前記ネスト開口の下方に少なくとも部分的に位置しており、
前記第２のリングの前記前方部は、ラッチ空洞を含み、
前記ラッチ空洞は、前記第２のリングの前記内側底部表面から間隔を空けており、
前記ラッチ空洞は、上部開口および底部開口を含み、
前記第２のリングの前記前方端部は、前記第１のリングおよび前記第２のリングがロック位置にある時に、前記第１のリングの前記前方端部に接触するように構成されており、
前記ラッチアセンブリは、ばね構成およびラッチ構成を含み、
前記ばね構成は、前記ラッチ空洞内に少なくとも部分的に位置しており、
前記ばね構成は、縦軸を有する収容部と、前記収容部の前記縦軸に沿って移動できる縦方向の部材とを含み、
前記ラッチ構成の少なくとも一部分は、前記ラッチ空洞の前記上部開口から外側に向かって伸長しており、
前記ラッチ構成は、前記ばね構成の前記収容部の縦軸に対して平行ではない平面内および前記収容部の縦軸に対して平行である平面内の両方で動作するように構成されており、
前記ラッチ構成は、ベース部とトップ部とを含み、
前記ベース部は、前記縦方向の部材に対して旋回可能に連結されており、
前記ラッチ構成の前記トップ部は、前記ネスト開口内に少なくとも部分的に配置することができるように、および前記第１のリングの前記ネストに対して取り外し可能に連結するように構成されており、
前記ばね構成は、前記ラッチ構成の前記トップ部が前記ネスト内に配置された時に、互いに向かって引き寄せられるように、前記第１のリングの前記前方部および前記第２のリングの前記前方部に力を生じさせるように構成されており、
前記ばね構成は、１または複数の機械的ばね、流体ばねまたはそれらの組み合わせを含む、
ロックリング。
【請求項１３】
前記第１のリングの前記後方部および前記第２のリングの前記後方部は、互いに移動できるように連結されている、請求項１２に記載のロックリング。
【請求項１４】
前記第１のリングの前記ネストは、安全戻り止めを含み、
前記安全戻り止めは、引っ込み位置と伸長位置との間を移動できる伸長部材を含み、
前記伸長部材は、戻り止めばね構成によって外側に向かって前記伸長位置へ付勢され、
前記伸長部材の少なくとも一部分は、前記伸長位置にある時に、前記第１のリング部分の外側の表面から外側に向かって伸長し、
前記伸長部材の少なくとも一部分は、前記引っ込み位置にある時に、前記第１のリングの内部へ移動でき、前記トップ部が前記ネストに取り外し可能に連結されている時に、それによって前記トップ部が前記ネストから不注意に外れることを防止するように、前記ラッチ構成の前記トップ部の上部表面領域に係合するように構成されている、
請求項１２または１３に記載のロックリング。
【請求項１５】
前記ネストは、複数の前記安全戻り止めを含む、請求項１４に記載のロックリング。
【請求項１６】
前記第１のリングの後方端部および前記第２のリングの後方端部に連結されているヒンジばねを含み、
前記ヒンジばねは、前記第１のリングの前記前方部および前記第２のリングの前記前方部を共に付勢する、
請求項１２から１５のいずれか１項に記載のロックリング。
【請求項１７】
前記ラッチ構成の前記ベース部および前記トップ部は、Ｔ字型形状を形成しており、
前記トップ部は、前記トップ部が前記ネストに取り外し可能に連結される時に、前記ネスト内の対応する弧状表面に係合するように構成されている弧状の上表面を含む、
請求項１２から１６のいずれか１項に記載のロックリング。
【請求項１８】
ハンドル構成の前記トップ部が前記ネストに取り外し可能に連結される時に、前記ラッチ構成の前記ベース部の縦軸は、前記ばね構成の前記縦方向の部材の縦軸から少なくとも１０°傾斜している、請求項１２から１７のいずれか１項に記載のロックリング。
【請求項１９】
前記第１のリングおよび前記第２のリングの各々は、前記第１のリングおよび前記第２のリングの前記側方表面を完全に貫通する複数のラジアルホールを含む、請求項１２から１８のいずれか１項に記載のロックリング。
【請求項２０】
前記ネスト開口は、垂直方向から約２０−７０°の導入角度を含み、
前記ネスト開口は、水平方向から約２０−７０°の出口角度を含む、
請求項１２から１９のいずれか１項に記載のロックリング。
【請求項２１】
前記ばね構成は、前記ばね構成の胴部に関連する前記縦方向の部材の縦方向の動作を制限する制限構成を含む、請求項１２から２０のいずれか１項に記載のロックリング。
【請求項２２】
前記ばね構成は、流体ばねである、請求項１２から２１のいずれか１項に記載のロックリング。
【請求項２３】
ａ．第１のリング、第２のリングおよびラッチアセンブリを備えるロックリングを提供する工程であって、
前記第１のリングは、前記第１のリングの前方部上に存在するネスト開口を有するネストを含み、
前記第１のリング部分の後方部は、前記第２のリングの後方部にヒンジ式で連結されており、
前記ラッチアセンブリは、前記第２のリングの前方部に連結されており、
前記ラッチアセンブリは、連結配置具とばね機構とを含み、
前記連結配置具は、前記ロックリングが閉鎖およびロック位置にある時に、前記ネスト開口に取り外し可能に配置することができるように構成されており、
前記連結配置具が前記ネスト開口に配置された時に、前記ばね機構により前記第１のリングの前方部および前記第２のリングの前方部が互いに向かって引き寄せられる、ロックリングを提供する工程と、
ｂ．部材について前記第１のリング部分および前記第２のリング部分を配置する工程と、
ｃ．閉鎖およびロック位置において前記ロックリングを固定するために、前記ネスト開口の中へ前記連結配置具を挿入する工程と、を含む、
ロックリングを使用するための方法。
【請求項２４】
前記ばね機構は、縦軸を有する収容部と、前記収容部の前記縦軸に沿って移動できる縦方向の部材とを含み、
前記連結配置具は、前記収容部の縦軸に対して平行ではない複数の平面内および前記収容部の縦軸に対して平行である平面内の両方で動作するように構成されており、
前記連結配置具は、ベース部とトップ部とを含み、
前記ベース部は、前記縦方向の部材に対して旋回可能に連結されており、
前記連結配置具の前記トップ部は、前記ネスト開口内に少なくとも部分的に配置することができるように、および前記第１のリングの前記ネストに取り外し可能に連結するように構成されている、
請求項２３に記載の方法。
【請求項２５】
前記ばね機構は気体ばねである、請求項２３または２４に記載の方法。
【請求項２６】
前記第１のリングの前記後方部および前記第２のリングの前記後方部に連結されているヒンジばねを含み、
前記ヒンジばねは、前記第１のリングの前方端部および前記第２のリングの前方端部を共に付勢するように構成されている、
請求項２３から２５のいずれか１項に記載の方法。
【請求項２７】
前記第１のリングは、安全戻り止めを含み、
前記安全戻り止めは、引っ込み位置と伸長位置との間を移動できる伸長部材を含み、
前記伸長部材は、戻り止めばね構成によって外側に向かって前記伸長位置へ付勢され、
前記伸長部材は、前記ロックリングがロック位置にある時に、前記ネスト開口に前記ラッチアセンブリの一部分を保持することを容易にするように設計されている、
請求項２３から２６のいずれか１項に記載の方法。
【請求項２８】
前記伸長部材の少なくとも一部分は、前記引っ込み位置にある時に、前記第１のリングの内部へ移動できる、請求項２７に記載の方法。
【請求項２９】
前記連結配置具のベース部およびトップ部は、Ｔ字型形状を形成しており、
前記トップ部は、前記トップ部が前記ネストに取り外し可能に連結される時に、前記ネスト内の対応する弧状表面に係合するように構成されている弧状の上表面を含む、
請求項２３から２８のいずれか１項に記載の方法。
【請求項３０】
ハンドル構成の前記トップ部が前記ネストに取り外し可能に連結される時に、ラッチ構成の前記ベース部の縦軸は、ばね構成の縦方向の部材の縦軸から少なくとも１０°傾斜している、請求項２９に記載の方法。
【請求項３１】
前記ネスト開口は、垂直方向から約２０−７０°の導入角度を含み、
前記ネスト開口は、水平方向から約２０−７０°の出口角度を含む、
請求項２３から３０のいずれか１項に記載の方法。
【請求項３２】
前記ばね機構は、ばね構成の胴部に関連する縦方向の部材の縦方向の動作を制限する制限構成を含む、請求項２３から３１のいずれか１項に記載の方法。